(57)【特許請求の範囲】
【請求項１】
部分画像の大きさを指定する第１指定手段と、  画像処理の内容を指定する第２指定手段と、
前記第１指定手段で指定された大きさの部分画像を光学的に読み取って得られた部分画像情報をメモリに格納する格納手段と、
前記メモリに格納された部分画像情報に対して前記第２指定手段で指定された画像処理を施す処理手段と、
前記処理手段により画像処理された部分画像情報を出力する出力手段と、
前記格納手段、前記処理手段および前記出力手段による処理を、画像全体に対して繰り返し実行するよう制御する制御手段とを備えることを特徴とする画像処理装置。
【請求項２】
前記画像処理の内容がマスキング処理であることを特徴とする請求項１に記載の画像処理装置。
【請求項３】
前記画像処理の内容が拡大及び縮小処理であることを特徴とする請求項１に記載の画像処理装置。
【請求項４】
前記画像処理の内容がモザイク処理であることを特徴とする請求項１に記載の画像処理装置。
【請求項５】
前記画像処理の内容が油絵調処理であることを特徴とする請求項１に記載の画像処理装置。
【請求項６】
前記画像処理の内容が光学フィルタ調処理であることを特徴とする請求項１に記載の画像処理装置。
【請求項７】
前記画像処理の内容がぼかし処理であることを特徴とする請求項１に記載の画像処理装置。
【請求項８】
前記画像処理の内容がシャープ処理であることを特徴とする請求項１に記載の画像処理装置。
【請求項９】
前記画像処理の内容が波紋処理であることを特徴とする請求項１に記載の画像処理装置。
【請求項１０】
前記画像処理の内容が渦巻き処理であることを特徴とする請求項１に記載の画像処理装置。
【請求項１１】
読み取った画像に対する画像処理の内容を指定する指定手段と、
当該装置に装着されているメモリの状態に基づいて画像情報を格納する画像メモリとして確保すべき容量を決定し、該容量に基づいて部分画像の大きさを設定する設定手段と、
前記設定手段で設定された大きさの部分画像を光学的に読み取って得られた部分画像情報を前記画像メモリに格納する格納手段と、
前記画像メモリに格納された部分画像情報に対して前記指定手段で指定された画像処理を施す処理手段と、
前記処理手段により画像処理された部分画像情報を出力する出力手段と、
前記格納手段、前記処理手段および前記出力手段による処理を、画像全体に対して繰り返し実行するよう制御する制御手段とを備えることを特徴とする画像処理装置。
【請求項１２】
部分画像の大きさを指定する第１指定工程と、
画像処理の内容を指定する第２指定工程と、
前記第１指定工程で指定された大きさの部分画像を光学的に読み取って得られた部分画像情報をメモリに格納する格納工程と、
前記メモリに格納された部分画像情報に対して前記第２指定工程で指定された画像処理を施す処理工程と、
前記処理工程により画像処理された部分画像情報を出力する出力工程と、
前記格納工程、前記処理工程および前記出力工程を、画像全体に対して繰り返し実行するよう制御する制御工程とを備えることを特徴とする画像処理方法。
【請求項１３】
読み取った画像に対する画像処理の内容を指定する指定工程と、
当該装置に装着されているメモリの状態に基づいて画像情報を格納する画像メモリとして確保すべき容量を決定し、該容量に基づいて部分画像の大きさを設定する設定工程と、
前記設定工程で設定された大きさの部分画像を光学的に読み取って得られた部分画像情報を前記画像メモリに格納する格納工程と、
前記画像メモリに格納された部分画像データに対して前記指定工程で指定された画像処理を施す処理工程と、
前記処理工程により画像処理された部分画像情報を出力する出力工程と、
前記格納工程、前記処理工程および前記出力工程を、画像全体に対して繰り返し実行するよう制御する制御工程とを備えることを特徴とする画像処理方法。
【発明の詳細な説明】
【０００１】
【産業上の利用分野】
本発明は画像処理方法及び装置に関し、更に詳しくは、スキャナ等で読み取った画像情報に対して効果画像処理を行う画像処理方法及び装置に関する。
【０００２】
【従来の技術】
従来より、スキャナ等により光学的に読み取った画像に対してモザイク、ぼかし等の効果画像処理を行う画像処理装置がある。一般にこの種の画像処理装置では、スキャナで画像情報を読み取る際に画像情報の終了までいっきに読み取り、読み取った画像情報をすべてメモリ又は記憶装置に格納してから指定された効果画像処理を行っている。
【０００３】
【発明が解決しようとする課題】
しかしながら、上記従来例では、スキャナによって画像情報の終了まで読み取った画像情報をすべて格納することが必要となり、大容量のメモリ又は記憶装置が必要となる。更に、指定された効果画像処理を施した後の画像を格納するためにも別途大容量のメモリ又は記憶装置が必要となる。このため、従来の画像処理装置では、画像情報を記憶する為に膨大な記憶容量のメモリ或は記憶装置が必要となり、装置を高価なものとしていた。
【０００４】
本発明は上記の問題点に鑑みてなされたものであり、画像情報を所定の大きさの部分画像に分割し、指定された画像処理を部分画像毎に順次施すことを可能とし、小さい記憶容量で読み取り画像の画像処理が可能な画像処理方法及び装置を提供することを目的とする。
【０００５】
又、本発明の他の目的は、上記の画像情報の分割の大きさを指定することを可能とし、使用可能なメモリ容量に応じた効率的なメモリの利用を可能とする画像処理方法及び装置を提供することにある。
【０００６】
又、本発明の他の目的は、上記の画像情報の分割の大きさを、当該装置の有するメモリの状態に基づいて適切に決定し、効率的なメモリの利用を、より容易にかつ確実に実現することを可能とする画像処理方法及び装置を提供することにある。
【０００７】
【課題を解決するための手段】及び【作用】
上記の目的を達成するための本発明による画像処理装置は以下の構成を備えている。即ち、
部分画像の大きさを指定する第１指定手段と、  画像処理の内容を指定する第２指定手段と、
前記第１指定手段で指定された大きさの部分画像を光学的に読み取って得られた部分画像情報をメモリに格納する格納手段と、
前記メモリに格納された部分画像情報に対して前記第２指定手段で指定された画像処理を施す処理手段と、
前記処理手段により画像処理された部分画像情報を出力する出力手段と、
前記格納手段、前記処理手段および前記出力手段による処理を、画像全体に対して繰り返し実行するよう制御する制御手段とを備える。
【０００８】
上記の構成によれば、格納手段は第１指定手段で指定された大きさの部分画像毎の部分画像情報を格納し、処理手段はこの部分画像情報に対して第２指定手段で指定された画像処理を実行し、出力手段は画像処理された部分画像情報を出力する。そして、制御手段により上述の処理を繰り返すことで処理すべき画像の全体を処理する。
【０００９】
このように、画像情報を格納するための格納手段の記憶容量は、指定された大きさの部分画像を処理するのに必要な容量があればよい。このため、小さい記憶容量で画像処理を実行することが可能となる。
【００１２】
又、上記の目的を達成する本発明の他の構成の画像処理装置は、
読み取った画像に対する画像処理の内容を指定する指定手段と、
当該装置に装着されているメモリの状態に基づいて画像情報を格納する画像メモリとして確保すべき容量を決定し、該容量に基づいて部分画像の大きさを設定する設定手段と、
前記設定手段で設定された大きさの部分画像を光学的に読み取って得られた部分画像情報を前記画像メモリに格納する格納手段と、
前記画像メモリに格納された部分画像情報に対して前記指定手段で指定された画像処理を施す処理手段と、
前記処理手段により画像処理された部分画像情報を出力する出力手段と、
前記格納手段、前記処理手段および前記出力手段による処理を、画像全体に対して繰り返し実行するよう制御する制御手段とを備える。
【００１３】
上記の構成によれば、当該装置に装着されたメモリの状態に基づいて部分画像情報を格納する容量が自動的に決定され、これに基づいて部分画像のサイズが設定される。このため、メモリの使用状態等に応じて適切な部分画像のサイズが自動的に設定されることになり、メモリの使用効率と使い勝手が向上する。
【００１４】
【実施例】
以下に添付の図面を参照して本発明の好適な実施例を説明する。
【００１５】
＜実施例１＞
図１は実施例１の画像処理装置における処理概要を説明する図である。図１において、１は画像情報であり、画像が掲載された原稿画像等により提供される。２は画像読取部であり、画像情報１を読み取る。このとき、画像読取部２は読取サイズ５で指定された大きさに従って画像情報を読み取り、これを部分画像とする。３は画像用メモリであり、画像読取部２で読み取った部分画像の画像情報を格納する。画像用メモリ３はＲＡＭや磁気ディスク等で構成される。
【００１６】
６は効果画像処理部であり、画像用メモリ３に記憶された部分画像に対して処理内容指定部７で指定された効果画像処理を施す。ここで効果画像処理としては、マスキング、拡大及び縮小、モザイク、油絵調、光学フィルタ調、ぼかし、シャープ、波紋、渦巻、等が挙げられる。４は画像出力部であり、効果画像処理の施された部分画像を順次出力する。
【００１７】
図２は実施例１の画像処理装置の構成を表すブロック図である。２５は画像処理装置の全体を示す。１１はＣＰＵであり、当該画像処理装置２５の各種制御を実行する。１２はＲＯＭであり、ＣＰＵ１１が実行する各種の制御プログラムを格納する。ＲＯＭ１２には、後述の画像処理方法を実現するための処理プログラムが格納されている。１３はＲＡＭであり、ＣＰＵ１１が各種の制御を実行するに際しての作業領域等を提供し、補助記憶として機能する。
【００１８】
１４はスキャナであり、セットされた原稿から光学的に画像情報を読み取る。１５はキーボードであり、画像処理の内容等を設定するために処理を切り替える効果画像処理キー１６、スキャナにより読み取る画像情報のサイズを数字入力したり効果画像処理の種類の指定を数字入力するための数字キー１７、上下左右へカーソルを移動する為の上下左右カーソルキー１８、効果画像処理の開始を指示する開始キー１９、効果画像処理を終了するための終了キー２０を備えている。
【００１９】
２１はプリンタであり、効果画像処理後の部分画像を順次出力する。２２はディスプレイであり、効果画像処理の内容設定時のメニュー表示などを行う。２３は画像用ＲＡＭ、２４は記憶装置であり、スキャナ１４で読み取った部分画像や画像処理を施した結果の画像等を格納する。画像用ＲＡＭ２３、記憶装置２４により上述の画像用メモリ３が形成されている。
【００２０】
ＲＡＭ２３及び記憶装置２４はスキャナにより読み取った画像情報を格納及び効果画像処理後の画像情報を格納するためのものである。
【００２１】
上記の構成による実施例１の画像処理装置の動作について説明する。図３及び図４は実施例１の処理手順を表すフローチャートである。
【００２２】
ステップＳ３１ではスキャナ１４に原稿をセットする。次に、ステップＳ３２において、効果画像処理や部分画像の大きさの設定を行うために効果画像処理キー１６を押すと、処理はステップＳ３３に移る。ステップＳ３３においては図５で示される画像処理メニューをディスプレイ２２上に表示する。
【００２３】
図５は実施例１の画像処理メニューの表示状態を示した図である。同図で、５４は画像処理メニューの全体を表す。上述のように効果画像処理キー１６を押すことによりディスプレイ２２上に画像処理メニュー５４が表示される。「スキャナの読み取りサイズ」の項目５１はスキャナ１４により画像情報を読み取るサイズを入力する項目であり、数字キー１７で入力する。「効果画像処理の指定」の項目５２は目的とする効果画像処理の指定を入力する項目であり、種類５５の中から番号を選択して数字キー１７で入力する。
【００２４】
スキャナの読み取りサイズの項目５１及び効果画像処理の指定の項目５２に数字キー１７で入力するときには上下左右カーソルキー１８を使ってカーソル５３を目的の項目の欄に移動する。種類５５は効果画像処理の種類を表示したものである。ここでは例えば、１ならばマスキング処理（特定範囲の画像情報を有効として、それ以外の画像情報をマスクする処理）、２ならば拡大及び縮小処理（画像情報の拡大又は縮小を行う処理）、３ならばモザイク処理（同じグレー階調又は同じ色の値を持つブロックに、イメージを分割する処理）、４ならば油絵調処理（油絵の雰囲気（絵筆のタッチの表現、油絵に適した色数の設定、油絵を描いたキャンパス地の表現等）を出すための処理）、５ならば光学フィルタ調処理（光学フィルタ（レインボー、クロス、スクエア、ハロー等）の雰囲気を出すための処理）、６ならばぼかし処理（ピクセル値の平均化やコントラストの違いを減少して、柔らかく見えるようにする処理）、７ならばシャープ処理（焦点を鮮明にし修正したり、コントラストやエッジを強調する処理）、８ならば波紋処理（風が水面上を渡るときに生じる波紋のような効果を出す処理）、９ならば渦巻処理（中心から渦巻き状のひねりを加えて変形させる処理）であることを示している。
【００２５】
さて、図３において、ステップＳ３４〜ステップＳ３８において、上記の画像処理メニューを用いて各種の設定を行う。まず、ステップＳ３４では、表示された画像処理メニュー５４のスキャナの読み取りサイズの項目５１に上下左右カーソルキー１８により、カーソル５３を移動する。そして、ステップＳ３５でスキャナの読み取りサイズの項目５１に数字キー１７を使い、スキャナの読み取りサイズを入力する。
【００２６】
次に、ステップＳ３６では表示された画像処理メニュー５４の効果画像処理の指定の項目５２に上下左右カーソルキー１７を使ってカーソル５３を移動する。効果画像処理の指定を種類５５（例えば、１ならばマスキング処理、２ならば拡大及び縮小処理、３ならばモザイク処理、４ならば油絵調処理、５ならば光学フィルタ調処理、６ならばぼかし処理、７ならばシャープ処理、８ならば波紋処理、９ならば渦巻処理である）から選択して、数字キー１７により数値で入力する。
【００２７】
ステップＳ３８において更に項目の設定内容を変更したければステップＳ３４に戻り、ステップＳ３７までの手順を繰り返す。項目内容の変更がなければ、効果画像処理を開始するための開始キー１９を押す。これにより処理はステップＳ３８、ステップＳ３９を経てステップＳ４０へ進む。
【００２８】
ステップＳ４０ではスキャナ１４で読み取った画像情報を格納するために、画像用メモリ３（画像用ＲＡＭ２３又は記憶装置２４）にステップＳ３５で指定されたスキャナの読み取りサイズの容量を確保する。
【００２９】
ステップＳ４１において、スキャナ１４による画像情報の読み取りを行う。このときの読み取り画像のサイズはステップＳ３５で指定されたスキャナの読み取りサイズとなる。ステップＳ４２ではステップＳ４１で読み取った画像情報をステップＳ４０で確保した画像用メモリ３の領域に格納する。ステップＳ４３では３７で指定された効果画像処理を行う。このとき補助記憶用のＲＡＭ１３を使用して効果画像処理を実現する。
【００３０】
ステップＳ３７で指定された効果画像処理を終えるとステップＳ４４において効果画像処理後の画像情報をステップＳ４０で確保した画像用メモリ３に再び格納する。そしてステップＳ４５では処理済みとなった部分画像を出力装置であるプリンタ２１に出力する。ステップＳ４６で全画像情報について処理が終了していなければ処理をステップＳ４７に移し、画像情報の読取ポインタをステップＳ３５で指定されたスキャナ１４の読み取りサイズ分だけ移動する。尚、全画像情報について処理が終了したか否かは、予め指定されている原稿サイズと、処理済みとなった部分画像の大きさ及び数から認識できる。
【００３１】
その後、ステップＳ４１に戻り、スキャナ１４はこの読取ポインタの位置から画像の読み取りを実行する。その後、新たに読み込まれた部分画像についてステップＳ４５までの処理を実行し、これを出力装置であるプリンタ２１に出力する。
【００３２】
一方、ステップＳ４６で全ての画像情報について処理が終了していれば、ステップＳ４８に進む。効果画像処理を続ける場合は、ステップＳ３１へ処理を戻して、上記の処理を繰り返す。一方、当該効果画像処理を終了する場合には、終了キー２０を押すことにより、ステップＳ４８及びステップＳ４９を経て本処理が終了する。
【００３３】
図６は、スキャナ１４にセットされる原稿の１例を表す図である。６１は画像情報の状態を示している。このような原稿をステップＳ３１でスキャナ１４にセットし、画像処理メニュー５４により必要な設定を行った後に開始キー１９を押すと、図７で示される様な部分画像が読み取られる。
【００３４】
図７は１回目の読取動作でスキャナ１４により読み取られる画像情報を表す図である。図７で、７１は画像情報の全体の大きさを示したものである。又、７２はスキャナ１４で読み取る部分画像であり、その大きさは画像処理メニュー５４で設定されたものである。
【００３５】
図８は１回目の出力動作により、プリンタ２１から出力された画像情報を表す図である。図８において、８１はスキャナ１４で１回目に読み取った画像情報に基づいてプリンタ２１が出力した画像情報の状態を示している。
【００３６】
図９は図６の画像についてスキャナ１４が２回目に読み取る画像情報を表す図である。図７の画像７２の最終ラインの次のラインに読取ポインタを移動してから、設定されたサイズの部分画像の読み取りが行われるので、図９の９２で示されるような部分画像が獲得されることになる。尚、９１は図７の７１と同様に画像情報の全体の大きさを示したものである。
【００３７】
図１０は２回目の出力動作により、プリンタ２１で出力された画像情報である。先の１回目の出力動作で記録された部分画像（図８の画像８１）の続きから部分画像９２に対応する画像の出力を行う。プリンタ２１が例えばラインプリンタであれば、部分画像の記録を終了する毎に記録を中断できる。従って、本画像処理装置に接続するプリンタとして、ラインプリンタは好適なものである。
【００３８】
以上説明したように、実施例１によれば、スキャナ１４より部分画像毎に画像の読み取りを行い、この部分画像毎に設定された画像処理が実行され、出力される。このため、画像処理に必要な画像メモリを部分画像の大きさに応じて準備すればよいので、必要なメモリ容量を低減することができる。
【００３９】
尚、上記実施例１では、画像用メモリとして専用のＲＡＭ２３を備えているが、メモリの使用状況に応じて部分画像のサイズ（スキャナの読取サイズ）を設定できるので、特に画像用メモリという区別をしなくてもよい。
【００４０】
又、上記実施例１では、スキャナの読取ポインタを移動することで部分画像の抽出を行うが、部分画像の抽出方法はこれに限られるものではない。例えば、スキャナからは全画像分のデータをくり返して入力するようにして、画像用メモリ３への格納時に部分画像を抽出するように構成してもよい。これは、スキャナから入力された画像データのライン数をカウントし、格納すべきラインを選択することで実現できる。例えば部分画像が１００ライン分の画像で構成される場合は、１回目の読み取り動作であれば１〜１００ラインを、２回目の読み取り動作であれば１０１〜２００ラインを格納するようにすればよい。
【００４１】
＜実施例２＞
次に、実施例２の説明を行う。実施例２では、実施例１で説明した画像処理装置におけるスキャナ１４による読み取りサイズ（部分画像のサイズ）をメモリの状態に基づいて自動的に設定し、操作を更に簡素化したものである。尚、実施例２の画像処理装置の構成は実施例１（図２）と同様であり、ここでは説明を省略する。但し、実施例２では、数字キー１７はもっぱら効果画像処理の種類を指定するために使用される。
【００４２】
図１１及び図１２は実施例２の処理手順を表すフローチャートである。まずステップＳ１１１において、スキャナ１４に、図６の如き原稿（画像情報）をセットする。ステップＳ１１２では効果画像処理を行う処理への切り替えを指示する効果画像処理キー１６を押すことにより、処理をステップＳ１１３に移す。ステップＳ１１３においては、図１３の画像処理メニュー１３４を表示器２２に表示する。
【００４３】
図１３は実施例２による画像処理メニューの表示状態を示す図である。効果画像処理キー１６を押すことによりディスプレイ２２上に画像処理メニュー１３４が表示される。効果画像処理の指定の項目１３１は目的とする効果画像処理の指定を入力する項目であり、種類１３３から所望の画像処理に対応する番号を選択し、その番号を数字キー１７で入力する。効果画像処理の指定の項目１３１に数字キー１７で数値を入力するときには、上下左右カーソルキー１８を使ってカーソル１３２を目的の項目に移動してから行う。種類１３３は効果画像処理の種類を表示したもので、内容は実施例１と同様であるのでここでは説明を省略することにする。
【００４４】
ステップＳ１１４では表示された画像処理メニュー１３４の効果画像処理の指定の項目１３１上下左右カーソルキー１８により、カーソル１３２を移動する。ステップＳ１１５で効果画像処理の指定の項目１３１に数字キー１７を使い、指定すべき効果画像処理の番号を種類１３３から選択して入力する。ステップＳ１１６において項目の内容を更に変更したければステップＳ１１４に戻り、ステップＳ１１５までの手順を繰り返す。
【００４５】
項目内容の変更がなければ効果画像処理を開始するためのキー１９を押すことで、処理はステップＳ１１６及びステップＳ１１７を経てステップＳ１１８へ進む。そして、ステップＳ１１８では、スキャナ１４により読み取る画像情報を格納するための画像用メモリ３（画像用ＲＡＭ２３または記憶装置２４）に部分画像（画像情報６１の一部）を格納するための領域（部分画像格納領域）を確保する。ここで画像用メモリ３に確保される部分画像格納領域の容量は、各メモリの装着容量や、使用状況に基づいてＣＰＵ１１が適切な容量を算出して得た容量である。
【００４６】
ステップＳ１１９においてスキャナ１４により画像情報を読み取る。このとき読み取る画像のサイズ（部分画像のサイズ）は、ステップＳ１１８で部分画像格納領域として画像用メモリ３に確保されたサイズと同じである。ステップＳ１２０ではステップＳ１１９で読み取った画像情報を、ステップＳ１１８で確保した画像用メモリ３内の部分画像格納領域に格納する。ステップＳ１２１ではステップＳ１１５で指定された効果画像処理を行う。尚、本例では、このとき、補助記憶用のＲＡＭ１３を使用して効果画像処理を実現する。
【００４７】
ステップＳ１２１において、指定された効果画像処理を終えるとステップＳ１２２において効果画像処理後の画像情報を再び画像用メモリ３の部分画像格納領域に格納する。そしてステップＳ１２３では、画像情報を出力する装置であるプリンタ２１に処理済みとなった部分画像を出力する。
【００４８】
次に、ステップＳ１２４で全ての画像情報について処理が終了していなければステップＳ１２５に進み、画像情報の読み取りポインタを部分画像格納領域として確保されたサイズ分だけ移動する。その後、処理をステップＳ１１９に戻してステップＳ１２３までの処理を繰り返す。
【００４９】
一方、ステップＳ１２４で全ての画像情報について処理が終了していれば、ステップＳ１２６に進む。ここで、当該効果画像処理を続ける場合は、ステップＳ１２６からステップＳ１１１へ戻り、上述の処理を繰り返す。又、当該効果画像処理を終了するときには、終了キー２０を押すことでステップＳ１２６、ステップＳ１２７を経て本処理を終了する。
【００５０】
以上説明したように、本実施例２によれば、画像処理装置自身が自動的に適切な部分画像領域の大きさを設定するので、常に当該装置に適切な読み取りサイズが設定され、メモリの使用効率や装置の操作性が向上する。
【００５１】
以上説明したように、上記の各実施例によれば、マスキング、拡大及び縮小、モザイク、油絵調、光学フィルタ調、ぼかし、シャープ、波紋、渦巻、またはその他の効果画像処理が少量のメモリまたは記憶装置で提供できる。
【００５２】
尚、本発明は、複数の機器から構成されるシステムに適用しても１つの機器からなる装置に適用しても良い。また、本発明はシステム或いは装置に本発明により規定される処理を実行させるプログラムを供給することによって達成される場合にも適用できることはいうまでもない。
【００５３】
【発明の効果】
以上説明したように、本発明によれば、画像情報を所定の大きさの部分画像に分割し、指定された画像処理を部分画像毎に順次施すことが可能となり、小さい記憶容量で読み取り画像の画像処理が可能となる。
【００５４】
【図面の簡単な説明】
【図１】実施例１の画像処理装置における処理概要を説明する図である。
【図２】実施例１の画像処理装置の構成を表すブロック図である。
【図３】実施例１の処理手順を表すフローチャートである。
【図４】実施例１の処理手順を表すフローチャートである。
【図５】実施例１の画像処理メニューの表示状態を示した図である。
【図６】スキャナにセットされる原稿の１例を表す図である。
【図７】１回目の読取動作でスキャナにより読み取られる画像情報を表す図である。
【図８】１回目の出力動作によりプリンタから出力された画像情報を表す図である。
【図９】図６の画像についてスキャナが２回目に読み取る画像情報を表す図である。
【図１０】２回目の出力動作によりプリンタから出力された画像情報を表す図である。
【図１１】実施例２の処理手順を表すフローチャートである。
【図１２】実施例２の処理手順を表すフローチャートである。
【図１３】実施例２による画像処理メニューの表示状態を示す図である。
【符号の説明】
１１  ＣＰＵ
１２  ＲＯＭ
１３  ＲＡＭ
１４  スキャナ
１５  キーボード
２１  プリンタ
２２  表示器
２３  画像用ＲＡＭ
２４  記憶装置
２５  画像処理装置
【図１】
0003595577.tif 000002
【図２】
0003595577.tif 000003
【図３】
0003595577.tif 000004
【図４】
0003595577.tif 000005
【図５】
0003595577.tif 000006
【図６】
0003595577.tif 000007
【図７】
0003595577.tif 000008
【図８】
0003595577.tif 000009
【図９】
0003595577.tif 000010
【図１０】
0003595577.tif 000011
【図１１】
0003595577.tif 000012
【図１２】
0003595577.tif 000013
【図１３】
0003595577.tif 000014